(57)【要約】【課題】  操作メニューなどのデータを表示装置で表示する場合や、画像データを表示装置で表示する場合にも、安価で良好な表示を行う。【解決手段】  記憶媒体に格納されている画像データの入力処理と、画像データを表示用の画像データに変換する変換処理と、記録動作の制御を行う第１制御手段と、表示用の画像データを入力してフリッカノイズを除去するフィルタ手段を含む第２制御手段と、変換処理にて変換された画像データと、フィルタ手段によりフリッカノイズを取り除いた画像データを格納するビデオメモリを備える。【選択図】  図１
2006088359.tif 000002
【特許請求の範囲】
【請求項１】
記憶媒体に格納されている画像データを入力して表示装置に対して画像データを出力する出力手段を備え、記憶媒体に格納されている画像データに基づき記録ヘッドを用いて記録動作を行う記録装置であって、
前記記憶媒体に格納されている画像データの入力処理と、前記画像データを表示用の画像データに変換する変換処理と、前記記録動作の制御を行う第１制御手段と、
前記表示用の画像データを入力してフリッカノイズを除去するフィルタ手段を含む第２制御手段と、
前記変換処理にて変換された第１画像サイズの画像データと、前記フィルタ手段によりフリッカノイズを取り除いた第１画像サイズの画像データと、前記記録動作を行うために前記表示装置に表示させる第２画像サイズのメニューデータとをそれぞれ異なる領域に格納するビデオメモリとを備えることを特徴とする記録装置。
【請求項２】
前記表示用の画像データは、所定のビット単位の輝度に関するデータと色差に関するデータで構成されていることを特徴とする請求項１に記載の記録装置。
【請求項３】
前記第２制御手段は、赤外線インターフェース部を含み、前記赤外線インターフェース部から前記第１制御手段に対して、省電力モードから通常モードへ移行するための信号を出力することを特徴とする請求項１に記載の記録装置。
【請求項４】
前記第２画像サイズは、前記表示装置に表示されるサイズについて、ナイキスト周波数に対応する画素数よりも大きく、サンプリング周波数に対応する画素数より小さいことを特徴とする請求項１に記載の記録装置。
【発明の詳細な説明】
【技術分野】
【０００１】
本発明は、ビデオ信号出力装置及びビデオ信号出力装置を備えた記録装置に関するものである。
【背景技術】
【０００２】
近年、インクジェットプリンタ等の記録装置の解像度が飛躍的に向上し、様々な画像データを印刷（記録）がなされている。また、記録装置には、記憶媒体の画像データをホスト装置を介さずに直接印刷可能な記録装置もでてきている。（特許文献１）
【特許文献１】特開２００３−２００６２１号公報
【発明の開示】
【発明が解決しようとする課題】
【０００３】
この様な記録装置の形態において、今後は、記録装置と表示装置とを接続して、印刷する画像を表示させるケースが多くなると予想される。
【０００４】
またユーザーの操作のための利便性を考えて、記録装置の操作メニューを表示装置に表示させる形態も予想される。
【０００５】
ここで、このような操作メニューなどのデータをＴＶ表示する場合には、ＴＶ方式特有の課題が生じる。
【０００６】
これは、現行ＴＶ方式で採用されているインターレース走査に伴うフィールドフリッカがあり、このためにユーザーにとって、このＴＶ表示が見難い（表示内容が明瞭でない）。これは、入力画像に対して、インターレース走査に伴い、フィールド毎に再サンプリングするためである。
【０００７】
この課題解決するためには、表示するデータに対してアンチエイリアシング処理を施せば良いのであるが、ソフトで処理すると時間がかかり、ハード（回路）で処理する場合には処理回路が複雑に成ると共に、その回路を実装する装置のコストが上昇してしまう。
【０００８】
なお、インターレース走査に伴うフィールドフリッカについては、通常のビデオ信号においても課題となる。このために、フィールド内でライン間の平均を取る等の処理をおこなっているが、この処理はリアルタイムででの処理する必要が有る。
【０００９】
しかし、フィールド内で処理をすると、フレームで見た場合のライン数が多くなり結果的に、強いフィルタ処理を施した事に成り、有効信号も減衰してしまい、解像度が劣化してしまう。また、この解像度が劣化しない様にするためには、より複雑な信号処理が必要となる。
【００１０】
本発明は、上記課題に鑑みてなされ、その目的は、操作メニューなどのデータを表示装置で表示する場合や、画像データを表示装置で表示する場合にも、安価で良好な表示を行う記録装置を提供することである。
【課題を解決するための手段】
【００１１】
上述の課題を解決し、目的を達成するために、本発明の記録装置は、記憶媒体に格納されている画像データを入力して表示装置に対して画像データを出力する出力手段を備え、記憶媒体に格納されている画像データに基づき記録ヘッドを用いて記録動作を行う記録装置であって、
前記記憶媒体に格納されている画像データの入力処理と、前記画像データを表示用の画像データに変換する変換処理と、前記記録動作の制御を行う第１制御手段と、
前記表示用の画像データを入力してフリッカノイズを除去するフィルタ手段を含む第２制御手段と、
前記変換処理にて変換された第１画像サイズの画像データと、前記フィルタ手段によりフリッカノイズを取り除いた第１画像サイズの画像データと、前記記録動作を行うために前記表示装置に表示させる第２画像サイズのメニューデータとをそれぞれ異なる領域に格納するビデオメモリとを備えることを特徴とする。
【発明の効果】
【００１２】
以上説明したように、本発明によれば、フィールドフリッカを除去することができ、良好な画像データの表示を低コストで実現できる。
【発明を実施するための最良の形態】
【００１３】
以下に、本発明に係る実施の形態について添付図面を参照して詳細に説明する。尚、以下に説明する実施の形態では、本発明の記録装置としてインクジェットプリンタ１０００に適用した例について説明するが、これは本発明の実現手段としての一例であり、本発明は、その趣旨を逸脱しない範囲で下記実施形態を修正又は変形したものに適用可能である。
【００１４】
本発明の一実施形態のブロック図を図３に示す。１００はＣＰＵ１を含む１チップの制御回路（ＡＳＩＣ）である。この制御回路には、ＣＰＵ１のほか、記録ヘッドを制御する回路ブロックや、モータを駆動するブロック、メモリカード（記憶媒体）ユニット９００とのアクセスを制御するブロックなどを含んでいる。モータを駆動するブロックから制御信号がモータドライバ６００に出力され、モータ７００が駆動される。モータは例えば、記録ヘッドが搭載されたキャリッジを移動させるためのキャリッジモータ、記録シートを搬送するための搬送モータなどがある。
【００１５】
記憶手段（ＲＡＭ）３００は、メモリカードから読み込んだＪＰＥＧ画像データを保存する。このＪＰＥＧ画像データを記録シートなどの記録媒体に記録する場合には、制御回路１００により、記憶手段（ＲＡＭ）３００からＪＰＥＧ画像データが読み出され、データの変換処理（２値化処理、ＨＶ変換処理）が行われ、記録ヘッド５００へ出力される。ＲＯＭ４００はＣＰＵ１が実行するプログラムが格納されている。
【００１６】
一方、ＪＰＥＧ画像データを表示装置に表示させるために、ＣＰＵ１は、このＪＰＥＧ画像データをビデオ信号（表示用信号）に変換する。このため、記憶手段（ＲＡＭ）３００はこのビデオ信号をＪＰＥＧ画像データと別の領域に保持されている。そして、このビデオ信号をＣＰＵ１により、ビデオメモリ（ビデオＲＡＭ）３に転送する。このビデオ信号は領域３１に格納される。
【００１７】
ここで、ＪＰＥＧ画像データを変換したビデオ信号（表示用信号）について、図４を用いて説明する。この変換されたビデオ信号は、輝度（Ｙ）を示す８ビットデータと色差（Ｕ、Ｖ）を示す８ビットデータが１組（１６ビットデータ）となって１画素分のデータとなっている。ｎは元になっているＪＰＥＧ画像データの画素の位置を示す。ここで、色差については１画素おきに、色差Ｕと色差Ｖが交互に記憶手段（ＲＡＭ）３００に格納されていることを示す。表示装置に画像データを表示する場合には、ＣＰＵ１はこの１６ビットデータを順にメモリから読み出し、ビデオ信号処理回路（制御回路）２００に転送する。
【００１８】
図１を用いてビデオ信号処理回路（制御回路）：ＡＳＩＣ）２００について説明する。制御回路（ＡＳＩＣ）２００は、上述したビデオメモリ（ビデオＲＡＭ）３に格納されたビデオ信号をフリッカ除去するフリッカ除去フィルタ（フィルタ）１０を備えている。このフリッカ除去フィルタ（フィルタ）１０により処理されたビデオ信号は、領域３１とは別の領域である領域３２に格納される。この他、この制御回路（ＡＳＩＣ）２００は、赤外線インターフェース１１を備えている。この赤外線インターフェース１１はユーザーが操作するリモコンからの信号を検出して、制御回路１００にその内容を通知する。
【００１９】
ここで、装置の省電力制御について簡単に説明する。例えば、記録装置が省電力状態にある場合、制御回路１００は低消費電力状態にあるが、制御回路２００は通常の電力モードで動作している。ここで、リモコンからの電源オン信号を検出して、その結果を制御回路１００に通知することで、制御回路１００も低消費電力状態から通常の動作状態に移行し、結果として記録装置も省電力状態から通常の動作状態に移行する。なお、制御回路１００には、記録装置のパワースイッチの操作を検出するブロックも備えており、ユーザーの電源オン／オフの操作をＣＰＵ１に通知する。
【００２０】
なお、ビデオメモリ（ビデオＲＡＭ）３には、ユーザーに対して、記録動作を行う際の操作を案内するメニューデータ（操作画面データ）を格納する領域３３を備えている。表示装置に表示されるメニューデータをユーザーが見て、例えば、用紙サイズや印刷モード（記録モード）の選択などを行う。
【００２１】
このため、制御回路（ＡＳＩＣ）２００は、ユーザーが、操作画面データを表示装置に出力することを望む場合には、メニューデータ（操作画面データ）をビデオメモリ（ビデオＲＡＭ）３の領域３３から読み出して、出力する。
【００２２】
図１の説明に戻ると、拡大器４は、領域３２に格納されている画像データをビデオ表示に必要なタイミングに応じてアービタ２を経由して、読み出しビデオ表示に必要なサイズに拡大する。拡大処理した後に、ビデオエンコーダ５へ出力する。
【００２３】
ビデオエンコーダ５は、ビデオ信号に変換し、Ｄ／Ａ変換器６でアナログ信号に変換する。Ｄ／Ａ変換器６で変換されたアナログ信号は、ビデオ増幅器７で所望のサイズに変換されて、表示装置８００に出力される。
【００２４】
ここで、フィールドフリッカについて説明する。このフィールドフリッカは、インタレース走査に依って発生するものである。Ｖ方向について説明する。
【００２５】
簡単の為に、ビデオ方式として、ＮＴＳＣ方式について説明する。ここで、ＮＴＳＣ方式の表示画素サイズ（フレームの画素サイズ）は、水平７２０画素、垂直４８０画素として説明する（垂直画素数は、５０４画素程度であるが、４８０画素としても実質的にはここでは問題無い）。
【００２６】
インターレース走査では、フィールド周期（６０Ｈｚ）で２４０ライン（Ｖ方向の画素数で２４０画素相当）をフレームの１ラインおきにフィールドで再サンプリングされている。従って、フィールド画像において、ナイキスト周波数ｆｎｑに対応する画素数は、２４０／２＝１２０画素に相当する。即ち、サンプリング周波数ｆｓ＝１／２４０、ｆｎｑ＝１／１２０となる。
【００２７】
従って、垂直方向の信号周波数成分で、ｆｎｑ以上でｆｓ以下の周波数成分が折り返しノイズとなる。この内、フリッカノイズとしては、ｆｓ近傍の成分の寄与が大きく、フリッカ除去フィルタとしては、この近傍の信号成分を除去する様に構成すれば良い。
【００２８】
この周波数は、元画像（フレーム画像）について、サンプリング周波数ｆｓｏ＝１／４８０、元画像のナイキスト周波数ｆｎｑｏ＝１／２４０であるから、元画像に対してｆｎｑｏ近傍の信号成分を除去すれば良い事に成る。１つの例として、上下のラインの単純平均を施す例について概念図である図２を用いて説明する。
【００２９】
図２の左側に記載しているのが、元データの概念図でフレームでの水平１ラインを単位としてフィールド毎に実線、波線が施されている。図２の右側に記載しているのが、フィルタ処理した後の概念図で、左右の両端に記載している数字が、フレームでの水平ラインの数字で有る。
【００３０】
図２の中央に記載している処理は、フリッカ除去フィルタ１０の処理（単純平均）の概念図で有る。即ち、元画像データの１ライン目と２ライン目を画素単位で加算し２で割る加算平均をしている。最終ラインだけは、演算する対象の一方の水平ラインデータが無い為、元データをそのまま使用している。
【００３１】
このフィルタは、いわゆる１段のＦＩＲフィルタとなり、特性は周知であるので説明は省略するが、ｆｎｑｏにトラップポイントがあり、フリッカノイズ除去効果は十分得られる。
【００３２】
尚、フリッカ除去フィルタ１０での処理は、ビデオメモリ（ビデオＲＡＭ）３の領域３１からデータを読み出した後、輝度信号と色差信号を独立に処理し、領域３２にデータを格納する時は、輝度信号の８ビットデータと色差信号の８ビットデータを合成して、１６ビットデータとして格納している。
【００３３】
なお、メニューデータ（操作画面データ）のサイズは、例えば、Ｖ方向の画素数を３００画素として構成している。また、Ｈ方向の画素数は、画像アスペクト比４：３を適用して、４００画素として、構成している。
【００３４】
これは以下のような理由による。ここで、表示装置に表示するメニューデータの画素サイズについて、Ｈ方向の画素数を６４０画素、Ｖ方向の画素数が４８０画素とする。例えば、メニューデータのサイズをＶ方向の画素数を２４０画素とし、この画素数のデータが線形拡大補間回路に入力される。この線形拡大補間回路から出力されるＶ方向の画素数は４８０画素相当になるとする。この線形拡大補間を行うことで、ローパスフィルタ処理（ＬＰＦ処理）を行うことになり、即ちアンチエイリアシングを施した事となり、フィールドフリッカを含めた折り返しノイズは無くなる。
【００３５】
ここで、線形拡大補間回路に入力されるもともとのメニューデータの画素サイズが小さいと、表示のために使用されるもともとのデータ数が少ないので、表示装置で表示される画質は十分でない。例えばＶ方向の画素数が２４０画素や２５０画素程度では、十分な画質が得られない。そこで、画素サイズはなるべく大きい方が良いが、以下の２つの点に留意する。
【００３６】
１つ目は、折り返しノイズのうち、フィールドフリッカの影響のみを無くす為、低周波への折り返しを除去する様に、画素サイズを若干大きくする事が好ましい。もっとも低周波に折り返す周波数成分は、４８０画素相当の入力データの時（即ち、ｆｓｃ＝１／４８０）で有るので、近傍の周波数成分を除去する為に入力画素サイズは、４８０画素未満で有る必要が有る。
【００３７】
２つ目は、線形補間処理の効果がある程度得られる画素サイズであることである。画素サイズが４８０画素に近いと（例えば４００画素等）、線形補間処理の効果が小さいため、結果的にフィルタ処理としての効果も十分得られない。
【００３８】
この２点を考慮すると、表示装置に表示する画素数がＨ方向の画素数を６４０画素、Ｖ方向の画素数が４８０画素であれば、Ｖ方向画素数を３００画素である。また、Ｈ方向の画素数については、画像アスペクト比４：３となるように４００画素とする。
【００３９】
なお、上述した、メニューデータの画素サイズについては、Ｖ方向の画素数を３００画素、Ｈ方向の画素数を４００画素としているが、上述した点を満足すれば、この画素数に限定するものではない。また、本実施例においては、ＮＴＳＣを例にとって説明したが、この方式に限定するものではなく、例えば、ＰＡＬ方式に適用しても構わない。
【図面の簡単な説明】
【００４０】
【図１】実施形態におけるビデオ信号処理回路の説明図
【図２】実施形態における信号処理の説明図
【図３】実施形態におけるインクジェットプリンタの制御ブロックの説明図
【図４】実施形態におけるビデオ信号の説明図
【図１】
2006088359.tif 000003
【図２】
2006088359.tif 000004
【図３】
2006088359.tif 000005
【図４】
2006088359.tif 000006